(57)【特許請求の範囲】
【請求項１】
ＣＤ／ＡＴＭ機が設置された銀行等金融機関のキャッシュコーナにおいて、
ＣＤ／ＡＴＭ機を盗難、破壊等の行為から保護するため営業時間外になると閉鎖する保護シャッタであって、
この保護シャッタの、シャッタ閉鎖時にＣＤ／ＡＴＭ機の操作部付近を覆う部位に開口部を設け、この開口部がＣＤ／ＡＴＭ機操作用の操作口を形成していることを特徴とするキャッシュコーナ用保護シャッタ。
【請求項２】
ＣＤ／ＡＴＭ機が設置された銀行等金融機関のキャッシュコーナにおいて、
ＣＤ／ＡＴＭ機を盗難、破壊等の行為から保護するため営業時間外になると閉鎖する保護シャッタであって、
この保護シャッタの、シャッタ閉鎖時にＣＤ／ＡＴＭ機の操作部付近を覆う部位を格子状シャッタまたはパイプシャッタにより構成し、前記格子状シャッタ、パイプシャッタがＣＤ／ＡＴＭ機操作用の操作口を形成していることを特徴とするキャッシュコーナ用保護シャッタ。
【請求項３】
前記保護シャッタの、シャッタ閉鎖時に少なくともＣＤ／ＡＴＭ機の前面基端部付近を覆う部位をパネルシャッタまたはスラットにより構成したことを特徴とする請求項１または２に記載のキャッシュコーナ用保護シャッタ。
【発明の詳細な説明】
【０００１】
【発明の属する技術分野】
本発明は、銀行等金融機関のキャッシュコーナにおいて、営業時間外になると閉鎖し現金自動支払機（以下「ＣＤ機」という）や現金自動預け払機（以下「ＡＴＭ機」という）を盗難や破壊などの行為から有効に保護する保護シャッタに関するものであり、特に、営業時間となったにもかかわらずシャッタ機構の故障等によりキャッシュコーナのシャッタが開放しない場合でも、利用者がＣＤ機やＡＴＭ機の操作を行なえる操作口を備えたキャッシュコーナ用保護シャッタに関するものである。
【０００２】
【従来の技術】
銀行等金融機関のキャッシュコーナにおいては、営業時間外になるとＣＤ／ＡＴＭ機の前面を閉鎖する保護シャッタ１Ｈが設置されている（図１１参照）。
【０００３】
保護シャッタを用いた場合、犯行時間を大いに長引かせることができ、犯行中に警備員や警察官が現場に駆けつけることが可能となるため、非常に高い防犯効果が期待でき、また犯罪抑止効果も期待できる。
【０００４】
この保護シャッタは、通例、ＣＤ／ＡＴＭ機１台毎あるいは複数台につき一つ設けられ、上述の通り営業時間外になると閉鎖しＣＤ／ＡＴＭ機を盗難や破壊等の行為から保護する役目を果たしている。
【０００５】
【発明が解決しようとする課題】
しかしながら、従来の保護シャッタにあっては、シャッタ機構が、
▲１▼障害物が置かれていたことによるシャッタレールの破損や変形；
▲２▼シャッタ駆動部の故障；
▲３▼シャッタ駆動部への電源供給異常；
等の要因により故障すると、営業時間になってもＣＤ／ＡＴＭ機を操作できないため、キャッシュコーナの利用者に対して多大な迷惑をかけ具合が悪いという問題点が指摘されていた（通常、シャッタ機構の故障により保護シャッタが正常に開放しない場合、シャッタ付近に設置されたシャッタ開閉検知センサがシャッタが正常に開放しなかったことを検出し自動通報するか、あるいは併設する有人店舗の行員や利用者からの通報で知らされることとなる。これらの通報を受けると、対処要員が現場に駆けつけてシャッタ機構の修理等必要な処置をとるが、その処置が完了するまでの間、ＣＤ／ＡＴＭ機を利用することはできない。このため、処置が完了するまでの間は営業時間になっても利用者はキャッシュコーナのＣＤ／ＡＴＭ機を操作できず現金の引出しができない。この点特に、急ぎの利用者にとっては、短時間でもＣＤ／ＡＴＭ機を利用できないことになり重大な問題を惹起するおそれがある）。
【０００６】
かくして、このような事態が発生してもＣＤ／ＡＴＭ機を利用できるようにする対策が求められていた。
【０００７】
本発明は、上記課題を解決するためになされたものであり、従って、本発明の目的は、シャッタ機構の故障等により営業時間にシャッタが開放しない場合があっても、利用者はＣＤ／ＡＴＭ機の操作口に手を差入れＣＤ／ＡＴＭ機を利用できるキャッシュコーナ用保護シャッタを提供することにある。
【０００８】
【課題を解決するための手段】
請求項１に記載された発明は、ＣＤ／ＡＴＭ機が設置された銀行等金融機関のキャッシュコーナにおいて、
ＣＤ／ＡＴＭ機を盗難、破壊等の行為から保護するため営業時間外になると閉鎖する保護シャッタであって、
この保護シャッタの、シャッタ閉鎖時にＣＤ／ＡＴＭ機の操作部付近を覆う部位に開口部を設け、この開口部がＣＤ／ＡＴＭ機用の操作口を形成していることを特徴とするキャッシュコーナ用保護シャッタである。
【０００９】
請求項２に記載された発明は、ＣＤ／ＡＴＭ機が設置された銀行等金融機関のキャッシュコーナにおいて、
ＣＤ／ＡＴＭ機を盗難、破壊等の行為から保護するため営業時間外になると閉鎖する保護シャッタであって、
この保護シャッタの、シャッタ閉鎖時にＣＤ／ＡＴＭ機の操作部付近を覆う部位を格子状シャッタまたはパイプシャッタにより構成し、前記格子状シャッタ、パイプシャッタがＣＤ／ＡＴＭ機操作用の操作口を形成していることを特徴とするキャッシュコーナ用保護シャッタである。
【００１０】
請求項３に記載された発明は、上記保護シャッタの、シャッタ閉鎖時に少なくともＣＤ／ＡＴＭ機の前面基端部付近を覆う部位をパネルシャッタまたはスラットにより構成したことを特徴とするキャッシュコーナ用保護シャッタである。
【００１１】
【発明の実施の形態】
本発明の保護シャッタでは、シャッタ閉鎖時にＣＤ／ＡＴＭ機の操作部付近を覆う部位に開口部を設け、保護シャッタが閉鎖したまま開放しない場合でもＣＤ／ＡＴＭ利用者が開口部から手を差し入れてＣＤ／ＡＴＭ機を操作できる。
【００１２】
また、シャッタ閉鎖時にＣＤ／ＡＴＭ機の操作部付近を覆う部位を格子状シャッタに形成し、または複数のパイプを配したパイプシャッタにより構成し、保護シャッタが閉鎖したまま開放しない場合でも利用者が格子間またはパイプ間から手を差入れてＣＤ／ＡＴＭ機を操作できるようにしてもよい。
【００１３】
さらに、保護シャッタとしての防犯機能を損なわないよう、保護シャッタの少なくともＣＤ／ＡＴＭ機の前面基端部付近（ＣＤ／ＡＴＭ機において現金カセットを収容する部分を含む）を覆う部位をパネルシャッタまたはスラットにより構成し、充分な強度を賦与して防犯性を確保するようにするとよい。この場合には、ＣＤ／ＡＴＭ機に収められた現金を奪おうとする犯人が現れても容易に破壊できないので防犯性能が一層向上する。
【００１４】
保護シャッタは、防犯対策として用いるものであり、通例図２に示す様にこれらＣＤ／ＡＴＭ機の面前に配設され、営業時間外になると閉鎖してＣＤ／ＡＴＭ機を覆い、盗難や破壊などの行為から保護する。
【００１５】
【実施例】
以下に、本発明に係るキャッシュコーナ用保護シャッタの実施例について図面を用いて説明する。
（実施例１）
図１に本発明に係る保護シャッタを配置するキャッシュコーナの概略を、図２に本発明に係るキャッシュコーナ用保護シャッタの設置例の概略を示す。
【００１６】
キャッシュコーナ内には、図１に示すように、複数台のＣＤ／ＡＴＭ機が設置されている。
【００１７】
保護シャッタ１Ａは、ＣＤ／ＡＴＭ機５０が設置された銀行等金融機関のキャッシュコーナ２において、ＣＤ／ＡＴＭ機５０を盗難、破壊等の行為から保護するため営業時間外になると閉鎖するシャッタ手段１０として構成され、このシャッタ手段１０には、シャッタ閉鎖時にＣＤ／ＡＴＭ機５０の操作部５１付近５２を覆う部位にＣＤ／ＡＴＭ機用の開口部１１を設けてある。すなわち、この開口部１１はＣＤ／ＡＴＭ機操作用の操作口１１を形成し、シャッタ閉鎖時にＣＤ／ＡＴＭ機５０の利用者がこの操作口１１より手を差入れてＣＤ／ＡＴＭ機５０を操作するスペースを有している。かくして、シャッタ機構が故障するなどして前記保護シャッタ１Ａが開放しない場合でも、利用者は前記操作口１１から手を差入れてＣＤ／ＡＴＭ機５０の前記操作部５１を操作し現金の引出しなどを行うことが可能となる。
【００１８】
また、前記保護シャッタ１Ａには、前記開口部１１の他に覗き窓として窓部を設けてもよい。
【００１９】
尚、前記操作口１１は、前記保護シャッタ１Ａが開放しなかった場合の非常手段であるので、前記保護シャッタ１Ａ本来の防犯機能を損なわないよう、前記操作口１１の開口部の大きさは必要最低限の大きさとすることが肝要である。
【００２０】
前記保護シャッタ１Ａは、前記シャッタ手段１０が開放しなかった場合の非常手段であり、前記操作口１１を利用するケース（営業時間になっても保護シャッタが閉鎖している状況に利用者が遭遇する頻度）はそれ程高いとはいえない。そこで、前記保護シャッタ１Ａが閉鎖していて利用者がＣＤ／ＡＴＭ機を利用できないと判断することを回避するため、ＣＤ／ＡＴＭ機の近傍に報知手段（例えば、スピーカー）６０を設けシャッタ開閉センサ等によりシャッタが正常開放しなかったことが検知された場合には音声等による案内を行なうようにしたり（図２参照）、シャッタ上に直接書き込むかあるいはシールを貼付して形成した案内表示７０を保護シャッタが開放しない場合のみシャッタ手段１０に付設するようにして（図４参照）、保護シャッタ１Ａが閉鎖していてもＣＤ／ＡＴＭ機を利用できること、および利用上の注意点などを利用者に案内するようにするとよい（営業時間に保護シャッタが閉鎖している場合でもＣＤ／ＡＴＭ機を利用できる旨および利用上の注意等を、音声や表示により利用者に案内することにより、本発明による保護シャッタの目的効果が充分に達成されることが期待できる）。
【００２１】
符号８０は客室３と機械室４を分ける隔壁である。
【００２２】
（実施例２）
図５に、保護シャッタ１Ｂの、シャッタ閉鎖時にＣＤ／ＡＴＭ機５０の操作部５１付近５２（図２参照）を覆う部位が格子状シャッタ１２により構成され、前記格子状シャッタ１２がＣＤ／ＡＴＭ機操作用の操作口１３を形成している例を示す。
【００２３】
前記格子状シャッタ１２における各格子の広さ（面積）Ｓは、人が手を差入れるのに必要充分な広さを有している。
【００２４】
（実施例３）
図６に、保護シャッタ１Ｃの、シャッタ閉鎖時にＣＤ／ＡＴＭ機５０の操作部５１付近５２を覆う部位をパイプシャッタ１４により構成し、前記パイプシャッタ１４がＣＤ／ＡＴＭ機操作用の操作口１５を形成している例を示す。
【００２５】
前記パイプシャッタ１４は各々が平行な複数のパイプ１４Ｃ，１４Ｃ‥‥を配して構成され、このパイプ１４Ｃ，１４Ｃ間の間隔Ｌ及び前記操作口１５のスペースは、人が手を差入れるのに必要充分な間隔及びスペースを有している。
【００２６】
（実施例４）
図７乃至９に、前記保護シャッタ１Ｄ，１Ｅ，１Ｆの、シャッタ閉鎖時に少なくともＣＤ／ＡＴＭ機５０の前面基端部５３（図２参照）付近を覆う部位をパネルシャッタ１６により構成した例を示す。
【００２７】
ＣＤ／ＡＴＭ機５０の基端部５３には現金カセットが収納されているので、この基端部５３を重点的に防御することにより充分な防犯効果が期待できる。
【００２８】
（実施例５）
図１０に、前記保護シャッタ１Ｇの、シャッタ閉鎖時に少なくともＣＤ／ＡＴＭ機５０の前面基端部５３付近を覆う部位をスラット１７により構成した例を示す。
【００２９】
この場合も実施例４と同様に、現金カセットを収納しているＣＤ／ＡＴＭ機５０の基端部５３を重点的に防御でき充分な防犯効果が期待できる。
【００３０】
尚、上記の実施例４及び実施例５においては、▲１▼ＣＤ／ＡＴＭ機の基端部を覆う部位のみをパネルシャッタまたはスラットなどの防犯効果の高いシャッタで構成し、その他の部位を格子状シャッタまたはパイプシャッタによって構成したり；▲２▼ＣＤ／ＡＴＭ機の操作部付近を覆う部位のみを格子状シャッタまたはパイプシャッタによって構成し、その余の残り部位をパネルシャッタまたはスラット等により防犯効果の高いシャッタで構成する；場合のいずれであってもよい。
【００３１】
【発明の効果】
本発明に係るキャッシュコーナ用保護シャッタによれば次の効果を奏する。
▲１▼保護シャッタは、シャッタ閉鎖時にＣＤ／ＡＴＭ機の操作部付近を覆う部位に開口部を具備しているので、シャッタ機構の故障などによって営業時間になってもシャッタが開放しない場合でも、利用者はこの開口部から手を差入れてＣＤ／ＡＴＭ機を操作できる。
▲２▼保護シャッタは、シャッタ閉鎖時にＣＤ／ＡＴＭ機の操作部付近を覆う部分を格子状シャッタまたはパイプシャッタにより構成してあるため、シャッタ機構の故障などにより営業時間になってもシャッタが開放しない場合でも、利用者は格子間またはパイプ間から手を差入れてＣＤ／ＡＴＭ機を操作できる。
▲３▼更に、シャッタ閉鎖時にＣＤ／ＡＴＭ機の基端部を覆う部位をパネルシャッタまたはスラットなどの防犯性能が高いシャッタにより構成してあるため、開口部を設けたり、部分的に格子状のシャッタまたはパイプシャッタを利用する場合でも保護シャッタとしての防犯性能を一層向上させることができる。
【図面の簡単な説明】
【図  １】本発明に係る保護シャッタを配置するキャッシュコーナの一例を示す概略図である。
【図  ２】本発明に係るキャッシュコーナ用保護シャッタの設置例を示す概略図である。
【図  ３】図２に示すキャッシュコーナ用保護シャッタの正面図である。
【図  ４】図３に示すキャッシュコーナ用保護シャッタに案内表示を設けた正面略図である。
【図  ５】保護シャッタの一部を格子状シャッタで構成したキャッシュコーナ用保護シャッタの一例を示す正面図である。
【図  ６】保護シャッタの一部をパイプシャッタで構成したキャッシュコーナ用保護シャッタの一例を示す正面図である。
【図  ７】保護シャッタにＣＤ／ＡＴＭ機操作用の開口部を設け、更に保護シャッタの一部をパネルシャッタにより構成したキャッシュコーナ用保護シャッタの一例を示す正面図である。
【図  ８】保護シャッタにＣＤ／ＡＴＭ機操作用の格子状シャッタ部を設け、更に保護シャッタの一部をパネルシャッタにより構成したキャッシュコーナ用保護シャッタの一例を示す正面図である。
【図  ９】保護シャッタにＣＤ／ＡＴＭ機操作用のパイプシャッタ部を設け、更に保護シャッタの一部をパネルシャッタにより構成したキャッシュコーナ用保護シャッタの一例を示す正面図である。
【図１０】保護シャッタの一部をスラットにより構成したキャッシュコーナ用保護シャッタの一例を示す正面図である。
【図１１】従来のキャッシュコーナ用保護シャッタを示す正面図である。
【符号の説明】
１Ａ      保護シャッタ
１Ｂ      保護シャッタ
１Ｃ      保護シャッタ
１Ｄ      保護シャッタ
１Ｅ      保護シャッタ
１Ｆ      保護シャッタ
１Ｇ      保護シャッタ
２        キャッシュコーナ
３        客室
４        機械室
１０      シャッタ手段
１１      操作口
１２      格子状シャッタ
１３      操作口
１４      パイプシャッタ
１５      操作口
１６      パネルシャッタ
１７      スラット
５０      ＣＡ／ＡＴＭ機
５１      操作部
５２      操作部付近
６０      報知手段
７０      案内表示
８０      隔壁
【図１】
0004446213.tif 000002
【図２】
0004446213.tif 000003
【図３】
0004446213.tif 000004
【図４】
0004446213.tif 000005
【図５】
0004446213.tif 000006
【図６】
0004446213.tif 000007
【図７】
0004446213.tif 000008
【図８】
0004446213.tif 000009
【図９】
0004446213.tif 000010
【図１０】
0004446213.tif 000011
【図１１】
0004446213.tif 000012